(57)【要約】【課題】  原稿の第１面の読み取りを行う第１読取手段を備えた片面読取機に、第２面を読み取る第２読取手段、及び該第２読取手段に原稿を密着させるプラテンローラをオプションとして容易に追加する手段を提供する。【解決手段】  本画像読取装置１は、給紙口から繰り込まれて搬送路９を搬送される原稿Ｐの外側面を第１読取手段により読み取った後、内側面を第２読取手段により読み取って排出口から排出する画像読取装置であって、搬送路９の最下流部が、外側ガイド面を構成する下フレーム２８と、該下フレーム２８の上方に所定間隔をおいて配置され内側ガイド面を構成する中間フレーム２７により形成され、中間フレーム２７に、第２読取手段が着脱自在に設けられ、下フレーム２８における第２読取手段の対向位置に、原稿Ｐを第２読取手段に密着させるプラテンローラを収容するローラ溝１９が形成されたものである。【選択図】  図１
2005167477.tif 000002
【特許請求の範囲】
【請求項１】
給紙口から繰り込まれて横Ｕ字形状の搬送路を搬送される原稿の外側面を第１読取手段により読み取った後、原稿の内側面を第２読取手段により読み取って排出口から排出する画像読取装置であって、
前記搬送路の最下流部が、外側ガイド面を構成する下フレームと、該下フレームの上方に所定間隔をおいて配置され内側ガイド面を構成する中間フレームにより形成され、
前記中間フレームに、前記第２読取手段が着脱自在に設けられ、前記下フレームにおける前記第２読取手段の対向位置に、原稿を前記第２読取手段に密着させるプラテンローラを収容するローラ溝が形成され、前記第２読取手段と前記プラテンローラを着脱することにより、両面読取機又は片面読取機のいずれかを選択可能としたことを特徴とする画像読取装置。
【請求項２】
前記中間フレームが、搬送路の最下流部を開放するように上下方向に回動自在に設けられ、前記ローラ溝の開口の原稿搬送方向幅がプラテンローラの外径より大きいものであることを特徴とする請求項１に記載の画像読取装置。
【請求項３】
前記ローラ溝の開口を覆う蓋部材を具備したことを特徴とする請求項１又は２に記載の画像読取装置。
【請求項４】
前記蓋部材の幅方向一端部が、前記ローラ溝の少なくとも原稿搬送方向上流側に前記下フレームのガイド面から前記蓋部材の厚み分だけ段落ちして形成された蓋部材取付部に取り付けられたことを特徴とする請求項３に記載の画像読取装置。
【発明の詳細な説明】
【技術分野】
【０００１】
本発明は、原稿の第１面の読み取りを行う第１読取手段を備えた画像読取装置に、第２面の読み取りを行う第２読取手段をオプションとして追加することのできる画像読取装置に関する。
【背景技術】
【０００２】
コピー機、ファックス機、スキャナ等は、原稿画像の読み取りを行う画像読取装置を具備しているが、この画像読取装置には、原稿の表裏両面の読み取りが可能な両面読取機と、原稿の表裏いずれか一方の面のみを読み取る片面読取機とがある（特許文献１参照）。図１２は、両面読取機である従来の画像読取装置の一例を示す概略縦断面図である。図に示すように、画像読取装置８０は、オートドキュメントフィーダー（以下、「ＡＤＦ」という）８１と、フラットベッドスキャナ（以下、「ＦＢＳ」という）８２とを具備してなるものである。ＡＤＦ８１は、図に示すように、上フレーム８３、中間フレーム８４、及び下フレーム８５により構成され、各フレームが所定の間隔をおいて互いに向かい合うようにして配置されることにより、搬送路８６が形成されている。給紙トレイ８７上にセットされた原稿Ｐは、ピックアップローラ８８によって搬送路８６へと繰り込まれ、搬送路８６に沿って適宜配置された搬送ローラ８９によって下流へと搬送され、搬送路８６の最下流端に配置されて回転駆動される排出ローラ９０、及びこの排出ローラ９０に当接するように設けられた押圧ローラ９１によって排出口から排紙トレイ９２へと排出されるものとなっている。このようなＡＤＦ８１においては、ＦＢＳ８２の原稿載置面であるプラテンガラス９３の下方に設けられた第１読取手段９４により、搬送路８６を搬送される原稿Ｐの一方の面が読み取られた後、第２読取手段９５により原稿Ｐの他方の面が読み取られることで原稿Ｐの両面読み取りが可能となっている。
【０００３】
第２読取手段９５は、所謂密着型イメージセンサ（Contact Image Sensor、以下「ＣＩＳ」という。）であり、図に詳細は示していないが、搬送路８６を搬送される原稿Ｐに対して光源から光を照射し、その反射光を収束性ファイバで光導電素子上に収束して読み取る固定式の読取手段である。このＣＩＳが精度良く画像読み取りを行うためには、ＣＩＳから原稿Ｐまでの距離がＣＩＳの焦点距離に一致している必要があり、この焦点距離は一般に短いものである。従って、従来は、ＣＩＳを、搬送路８６の内側ガイド面を構成する中間フレーム８４に対してねじ等で取り付けてその位置を固定する一方、搬送路８６を挟んたＣＩＳの対向位置に、原稿ＰをＣＩＳ直下の読取ガラス９６に密着させるためのプラテンローラ９７を設けている。これにより、搬送路８６を搬送される原稿Ｐは、その読取面がプラテンローラ９７によって読取ガラス９６に密着されるものとなっており、この時、ＣＩＳから原稿Ｐまでの距離がＣＩＳの焦点距離と一致して、ＣＩＳによる良好な画像読み取りが可能となっている。ここで、プラテンローラ９７は、シリコン等からなる白色のものであり、図１２に示すように、搬送路８６の下流部を形成する上下一対のフレーム部材のうち、下側に配置された下フレーム８５における第２読取手段９５の対向位置に、搬送路８６側に開口するように形成されたローラ溝９８の内部に回転可能に軸支されている。尚、プラテンローラ９７は、ＣＩＳが原稿Ｐの読み取り前に行うシェーディング補正において、白基準情報を与える役割も果たしている。
【０００４】
一方、図１３は、片面読取機である従来の画像読取装置１１０の一例を示す図であり、図において画像読取装置８０と同じ構成については、図１２と同じ符号を付している。図に示すように、画像読取装置１１０は、第１読取手段９５のみを設けて片面読取機としたものである。この画像読取装置１１０では、第２読取手段とプラテンローラが設置されないので、中間フレームに第２読取手段を装着する必要がなく、また、下フレームにローラ溝を形成する必要がない。従って本画像読取装置１１０の製造に際しては、図に示すように、両面読取機である画像読取装置８０の中間フレーム８４、及び下フレーム８５とは形状の異なる中間フレーム１１１、及び下フレーム１１２を別途製作している。
【０００５】
【特許文献１】特開２００２−３６２８１３号公報
【発明の開示】
【発明が解決しようとする課題】
【０００６】
しかし、片面読取機である従来の画像読取装置１１０では、その中間フレーム１１１及び下フレーム１１２の形状が、両面読取機である画像読取装置８０の中間フレーム８４及び下フレーム８５とは異なるため、樹脂等を成型して各フレームを製作する際に、両面読取機とは別の金型を用意しなければならず、生産コストが増加するという問題がある。
【０００７】
また、画像読取装置１１０では、製造販売した後に、ユーザから両面読取機に変更したいとの要望があった場合に、第２読取手段を追加して両面読取機に変更することが困難である、という問題もある。
【０００８】
上記問題を解決する手段としては、片面読取機である画像読取装置１１０を、両面読取機である画像読取装置８０と同じ中間フレーム８４を用いて組み立て、第２読取手段をオプションとして後から追加可能とする、という方法がある。この方法によれば、片面読取機と両面読取機とで中間フレーム８４の形状を共通化できるので、片面読取機用に別の金型を用意する必要がなく、コスト低減を図ることができる。また、片面読取機を両面読取機に変更したいとの要望がユーザからあった場合に、中間フレーム８４に第２読取手段を追加して両面読取機に変更することができる。しかし、この場合、第２読取手段を追加するためには、前述のように、第２読取手段を中間フレーム８４に対してねじ等で位置固定してユニット化するという複雑な作業を要するため、ＡＤＦ８１をユーザのオフィス等から工場へ持ち帰り、中間フレーム８４に第２読取手段を追加した上でユーザの元へ戻す必要があり、運搬コストを要するとともに手間もかかるという問題がある。
【０００９】
また、上記コスト増加の問題を解決する別の手段としては、片面読取機である画像読取装置１１０を、両面読取機と同様に、ローラ溝９８の形成された下フレーム８５を用いて組み立てる、という方法がある。これにより、両面読取機と別の金型を用意する必要がないので、コスト低減を図ることができる。しかし、この場合、ローラ溝９８は、その内部にプラテンローラが収容されず、搬送路８６側に開口された状態となるので、搬送路８６を搬送される原稿Ｐが、開口部に引っ掛かってローラ溝９８内に巻き込まれ、紙詰まりが発生するという問題がある。
【００１０】
本発明は、このような問題に鑑みてなされたものであり、原稿の第１面の読み取りを行う第１読取手段を備えた片面読取機に、第２面を読み取る第２読取手段、及び該第２読取手段に原稿を密着させるプラテンローラをオプションとして容易に追加することができる手段を提供する。
【課題を解決するための手段】
【００１１】
上記目的を達成するための請求項１の発明は、給紙口から繰り込まれて横Ｕ字形状の搬送路を搬送される原稿の外側面を第１読取手段により読み取った後、原稿の内側面を第２読取手段により読み取って排出口から排出する画像読取装置であって、前記搬送路の最下流部が、外側ガイド面を構成する下フレームと、該下フレームの上方に所定間隔をおいて配置され内側ガイド面を構成する中間フレームにより形成され、前記中間フレームに、前記第２読取手段が着脱自在に設けられ、前記下フレームにおける前記第２読取手段の対向位置に、原稿を前記第２読取手段に密着させるプラテンローラを収容するローラ溝が形成され、前記第２読取手段と前記プラテンローラを着脱することにより、両面読取機又は片面読取機のいずれかを選択可能としたものである。
【００１２】
請求項２の発明は、前記中間フレームが、搬送路の最下流部を開放するように上下方向に回動自在に設けられ、前記ローラ溝の開口の原稿搬送方向幅がプラテンローラの外径より大きいものである。
【００１３】
請求項３の発明は、前記ローラ溝の開口を覆う蓋部材を具備したものである。
【００１４】
請求項４の発明は、前記蓋部材の幅方向一端部が、前記ローラ溝の少なくとも原稿搬送方向上流側に前記下フレームのガイド面から前記蓋部材の厚み分だけ段落ちして形成された蓋部材取付部に取り付けられたものである。
【発明の効果】
【００１５】
本発明に係る画像読取装置によれば、搬送路の最下流部が、下フレームと該下フレームの上方に所定間隔をおいて配置された中間フレームにより形成され、中間フレームに第２読取手段が着脱自在に設けられ、下フレームにプラテンローラを収容するローラ溝が形成され、第２読取手段とプラテンローラを着脱することにより、両面読取機又は片面読取機のいずれかを選択可能としたので、片面読取機として製造した画像読取装置を販売した後に、ユーザから両面読取機に変更したいとの要望があった場合に、中間フレームに第２読取手段を取り付け、下フレームにプラテンローラを取り付けることにより、容易に両面読取機に変更することができる。また、画像読取装置を両面読取機とする場合と、片面読取機とする場合とで生産工程の大部分を共通化することができるとともに、高価なプラテンローラを使用せずに片面読取機を構成することができるので、生産コストの低減を図ることができる。
【００１６】
また、本発明によれば、中間フレームが、搬送路の最下流部を開放するように上下方向に回動自在に設けられ、ローラ溝の開口の原稿搬送方向幅が、プラテンローラの外径より大きいので、中間フレームを上方へ回動させることによりローラ溝が露呈され、ローラ溝の上方からプラテンローラを容易に着脱することができる。
【００１７】
また、本発明によれば、ローラ溝の開口を覆う蓋部材を具備したので、搬送路を搬送される原稿が、ローラ溝に巻きこまれて紙詰まりが発生することを防止することができる。
【００１８】
また、本発明によれば、蓋部材の幅方向一端部が、ローラ溝の少なくとも原稿搬送方向上流側に下フレームのガイド面から蓋部材の厚み分だけ段落ちして形成された蓋部材取付部に取り付けられたものなので、蓋部材の上面が下フレームのガイド面と面一となり、搬送路を搬送される原稿が、蓋部材の上流側縁部に引っ掛かって紙詰まりが発生することを防止することができる。
【発明を実施するための最良の形態】
【００１９】
原稿の第１面の読み取りを行う第１読取手段を備えた片面読取機を、第２面を読み取る第２読取手段、及び該第２読取手段に原稿を密着させるプラテンローラを、オプションとして追加して両面読取機に変更可能とする、という目的を最小の部品点数で且つ安価なコストで実現した。
【実施例】
【００２０】
以下、本発明の実施例に係る画像読取装置１について図面に基づいて説明する。図１は、本画像読取装置１の構成を示す概略縦断面図である。画像読取装置１は、第１読取手段２で原稿Ｐの第１面（外側面）のみを読み取る片面読取機であって、原稿Ｐの第２面（内側面）を読み取る第２読取手段を、オプションとして後から追加可能に構成されたものである。以下、各構成について更に詳細に説明する。
【００２１】
本画像読取装置１は、図１に示すように、本体フレーム３に設けられたＦＢＳ４と、原稿押圧板５に設けられたＡＤＦ６とから構成されている。ＦＢＳ４は、図に詳細は示さないが、厚みのある原稿Ｐ等を読み取る場合に用いられるものであり、本体フレーム３のプラテンガラス７上に載置された原稿Ｐの外側面の画像が、第１読取手段２により読み取られるものとなっている。一方、ＡＤＦ６は、シート状の原稿Ｐを読み取る場合に用いられるものであり、給紙トレイ８にセットされた原稿Ｐが最上紙Ｐｔから１枚ずつ分離されて搬送路９へと送られ、この原稿Ｐの外側面の画像が第１読取手段２により読み取られ、排紙トレイ１０へと排出される構成となっている。
【００２２】
ＡＤＦ６は、図１に示すように、読み取るべき原稿Ｐの束が載置される給紙トレイ８と、この原稿Ｐの束から最上紙Ｐｔを取り出して給紙口から搬送路９へ繰り込むピックアップローラ１１、セパレートローラ１２、及び分離パッド１３と、給紙トレイ８と排紙トレイ１０とを連通する横Ｕ字形状の搬送路９と、フィードローラ１４及びプレスローラ１５で構成され、搬送路９に適宜配設されて原稿Ｐを下流へ搬送する搬送ローラ１６と、プレスローラ１５をフィードローラ１４に圧接する押圧バネ１７と、押圧バネ１７が嵌着されてなる押圧バネ取付部材１８と、搬送路９の最下位置に配置された第１読取手段２と、図示しないプラテンローラを収容するためのローラ溝１９と、該ローラ溝１９の開口を覆うフィルム体（蓋部材）２０と、搬送路９の最下流端に配置された排出ローラ２１と、この排出ローラ２１に圧接された押圧ローラ２２と、排出口から排出された原稿Ｐを受ける排紙トレイ１０と、排出された原稿Ｐの後端部を、排出ローラ２１の周面から排紙トレイ１０へと案内する落下補助リブ２３と、原稿Ｐの排出完了を検出するリードセンサ２４と、を具備してなるものである。本実施例では、図に示すように、ＡＤＦ６が、上フレーム２５、中間第１フレーム２６、中間第２フレーム（中間フレーム）２７、及び下フレーム２８により構成され、この各フレームに前記各部材が取り付けられている。
【００２３】
第１読取手段２は、本体フレーム３上のプラテンガラス７を通して、搬送路９を搬送される原稿Ｐに光を照射する光源Ｓと、原稿Ｐからの反射光を所定の方向へ導くための反射ミラーＭと、該反射光を収束させるレンズＬと、収束光を電気信号に変換する電荷結合素子（Charge Coupled Device、以下「ＣＣＤ」という。）Ｑとを備えてなる所謂ＣＣＤイメージセンサであり、図に示すように、搬送路９の下方において水平方向に移動可能に配設された移動式の画像読取手段である。尚、第１読取手段２としては、ＣＣＤに替えてＣＩＳを採用することも可能である。
【００２４】
搬送路９は、図１に示すように、給紙トレイ８から斜め下方へ傾斜して折返し部２９に至り、この折返し部２９で折り返されて最下位置に至り、この最下位置から斜め上方へ傾斜することで略横Ｕ字形状に湾曲して形成された搬送経路である。この搬送路９は、各フレーム部材、すなわち、上フレーム２５、中間第１フレーム２６、中間第２フレーム２７、及び下フレーム２８所定の間隔をおいて互いに向かい合うことにより形成されている。本実施例では、搬送路９の最下流部は、下フレーム２８のガイド面２８ａと、この下フレーム２８の上方に所定間隔をおいて配置された中間第２フレーム２７のガイド面によって略水平となるように形成されており、原稿Ｐを排出口から水平方向に排出させているが、これに限られず、搬送路９の最下流部を斜め上方へ傾斜させ、原稿Ｐを排出口から斜め上方へ向って排出させることも可能である。
【００２５】
中間第２フレーム（中間フレーム）２７は、図１に示すように、搬送路９の最上流部の内側ガイド面を構成する上蓋部材３０と、搬送路９の最下流部の内側ガイド面を構成する上ガイド部材３１とで構成されるものであり、上ガイド部材３１に設けられた係合爪３２を、上蓋部材３０に設けられた係合溝３３に係合させることにより、上ガイド部材３１の上部を覆うようにして上蓋部材３０を取り付けている。ここで、図に詳細は示さないが、係合溝３３の上下幅は、係合爪３２の厚みより若干大きく形成され、係合爪３２を係合溝３３に係合させた時に、係合爪３２と係合溝３３の間には上下方向に若干の遊びが生じるものとなっている。これにより、上ガイド部材３１と上蓋部材３０は、この遊び分だけ互いに上下動自在となっている。
【００２６】
このように、上ガイド部材３１と上蓋部材３０とを固定せず、互いに上下動自在としたことにより、搬送路９の最上流部と最下流部における上下幅を、それぞれ独立して調整することが可能となっている。本実施例では、図１及び図２に示すように、下フレーム２８のガイド面２８ａにおけるローラ溝１９の下流側に所定高さの突起３４を設け、この突起３４で上ガイド部材３１の底面３１ａを下方から支持することにより、搬送路９の最下流部を、搬送すべき原稿Ｐの原稿厚に応じた適正な上下幅としている。尚、突起３４の数は本実施例に限られず、ローラ溝１９の上流側に設けることも可能である。また、これと同様に、図に詳細は示さないが、上フレーム２５のガイド面に突起３４を設けることにより、搬送路９の最上流部を適正な上下幅とすることが可能である。
【００２７】
更に、上ガイド部材３１と上蓋部材３０を互いに上下動自在としたことにより、後述するように、上ガイド部材３１にＣＩＳを取り付けた場合に、ＣＩＳの読取画質を良好に保つことが可能となっている。より詳細に説明するに、図１に示すように、上蓋部材３０には、コイルバネ３５によって上方向に付勢された分離パッドホルダ３６が嵌合されており、この分離パッドホルダ３６の上面に貼設された分離パッド１３がセパレートローラ１２に圧接されている。分離パッド１３は、原稿Ｐに対する摩擦係数がセパレートローラ１２の原稿Ｐに対する摩擦係数より低く、且つ原稿Ｐ同士の摩擦係数より高いものであり、例えばウレタン系樹脂で成形することが可能である。このような構成により、給紙トレイ８に載置された原稿Ｐの束から最上紙Ｐｔが分離されて搬送路９に繰り込まれるものとなっている。ここで、セパレートローラ１２と分離パッド１３の間を原稿Ｐが通過する時に、上蓋部材３０には振動が生じるが、前記係合爪３２と係合溝３３の間に若干の遊びを設けたことにより、この振動が上ガイド部材３１に伝達しにくくなっている。これにより、上蓋部材３０に生じた振動が、上ガイド部材３１に取り付けられるＣＩＳの読取画質に影響を及ぼすことを低減している。
【００２８】
また、中間第２フレーム２７は、上下方向に回動自在に設けられている。すなわち、中間第２フレーム２７は、図１に示すように、その上端部が、画像読取装置１の図示しないフレームに両端部が固定された固定軸３７に対して回動自在に取り付けられている。これにより、搬送路９において紙詰まりが発生した時に、図１１に示すように、上フレーム２５をヒンジ３８を支点として上方へ開いた上で、中間第２フレーム２７を固定軸３７を支点として上方へ回動させることにより、搬送路９の最下流部を露呈させ、搬送路９に詰まった原稿Ｐを取り出すことができるものとなっている。
【００２９】
尚、中間第２フレーム２７は、後述するように、ＣＩＳを容易に取り付け、また取り外すことが可能な構成となっている。これにより、片面読取機である画像読取装置１を製造販売した後に、ユーザから両面読取機に変更したいとの要望があった場合に、ＡＤＦ６ごと取り外して工場へ持ち帰らなくても、サービスマンがユーザのオフィス等へ行き、その場で中間第２フレーム２７にＣＩＳを取り付けて両面読取機に変更することができる、という利点がある。
【００３０】
下フレーム２８は、ＡＤＦ６の最下部に配置されるものである。本実施例に係る画像形成装置１は、ローラ溝１９が形成された下フレーム２８を用いて片面読取機を構成している。これにより、樹脂等を成型して下フレーム２８を製作する際に、両面読取機と金型を共通化することができ、生産コストの低減を図ることが可能となっている。図２は、下フレーム２８の構成を示す概略平面図である。図に示すように、下フレーム２８は、原稿Ｐを下流へと搬送する搬送ローラ１６と、原稿Ｐを搬送路９から排紙トレイ１０へと排出する排出ローラ２１と、排出ローラ２１の上流側に形成されたローラ溝１９と、ローラ溝１９の上流側直前部に形成されたフィルム貼付面３９と、このフィルム貼付面３９に幅方向一端部２０ａが貼付されてローラ溝１９の開口を覆うフィルム体２０と、排出口から排出された原稿Ｐの後端部を排出ローラ２１の周面から排紙トレイ１０へと案内する落下補助リブ２３と、中間第２フレーム２７の上ガイド部材３１を下方から支持する突起３４と、ローラ溝１９の上流側に配置されて原稿Ｐの通過を検知するリードセンサ２４と、排紙トレイ１０に排出された原稿Ｐを取り出すための排出原稿取り出し用凹部４０と、原稿押圧板５を本体フレーム３に対して開閉自在に取り付けるためのヒンジ機構４１と、を具備してなるものである。また、下フレーム２８のガイド面２８ａには、図に示すように、原稿Ｐの搬送方向に延びる複数の搬送補助リブ４２が形成されており、搬送路９を搬送される原稿Ｐと下フレーム２８との接触面積を小さくして摩擦を低減させることにより、原稿Ｐのスムーズな搬送を可能としている。
【００３１】
図３は、図１においてローラ溝１９近傍について拡大した概略縦断面図である。図に示すように、下フレーム２８におけるローラ溝１９の上流側直前部に平坦なフィルム貼付面３９が形成され、このフィルム貼付面３９に幅方向一端部２０ａが貼付されたフィルム体２０によりローラ溝１９の開口が覆われている。
【００３２】
ローラ溝１９は、図２及び図３に示すように、排出ローラ２１の上流側に、搬送路９側に開口するように形成された縦断面が略Ｕ字型形状の溝であり、プラテンローラを収容するためのものである。本実施例では、画像読取装置１を片面読取機として構成したので、ローラ溝１９の内部にはプラテンローラが収容されていない。このローラ溝１９は、その開口の原稿搬送方向幅がプラテンローラの外径より大きくなっている。これは、ローラ溝１９にプラテンローラを取り付ける場合に、ローラ溝１９の上方からプラテンローラを取り付けることを可能とするためである。これにより、下フレーム２８を分解してローラ溝１９の下方からプラテンローラを取り付ける場合と比べて取付作業が容易となり、作業性を向上させることができるという利点がある。尚、本実施例では、ローラ溝１９は下フレーム２８に形成されているが、これに限られず、ＣＩＳの配置位置に応じて、例えば、ローラ溝１９を上フレーム２５に形成することも可能である。
【００３３】
フィルム貼付面（蓋部材取付部）３９は、図３に示すように、下フレーム２８のガイド面２８ａから前記フィルム体２０の厚み分だけ段落ちして、すなわち、ガイド面２８ａより低くなるように形成されたものであり、フィルム体２０を貼付しやすいよう、その表面は平坦面となっている。このように、フィルム貼付面３９が、ガイド面２８ａから段落ちして形成されたことにより、フィルム体２０を貼付する際にその位置決めを容易に行うことができ、また、フィルム体２０の幅方向一端部２０ａをフィルム貼付面３９に貼付したときに、フィルム体２０の表面がガイド面２８ａと略面一となり、搬送路９を搬送される原稿Ｐの先端部が、フィルム体２０の上流側縁部２０ｂに引っ掛かるのを防止することができる。尚、ガイド面２８ａに設けられた搬送補助リブ４２は、図２及び図３に示すように、フィルム貼付面３９の手前までしか設けられておらず、搬送路９を搬送される原稿Ｐが引っ掛からないよう、その端部４２ａが面取りされている。また、本実施例では、フィルム貼付面３９をローラ溝１９の上流側にのみ設けているが、ローラ溝１９の下流側にもフィルム貼付面３９を設け、図に詳細は示さないが、フィルム体２０の幅方向一端部２０ａを上流側のフィルム貼付面３９に、幅方向他端部２０ｃを下流側のフィルム貼付面３９にそれぞれ貼付することも可能である。
【００３４】
フィルム体（蓋部材）２０は、ポリエチレン等からなる略矩形のシート状の部材であり、ローラ溝１９の開口を覆うためのものである。すなわち、図２及び図３に示すように、本画像読取装置１は、ローラ溝１９の形成された下フレーム２８を用いて構成され、このローラ溝１９の内部にはプラテンローラが収容されないので、ローラ溝１９はその開口が露呈された状態となる。従って、このローラ溝１９の開口を覆い隠すことにより、搬送路９を搬送される原稿Ｐがローラ溝１９の内部に巻き込まれて紙詰まりが発生するのを防止している。ここで、図に詳細は示さないが、フィルム体２０の裏面における幅方向一端部２０ａには粘着面が設けられており、この粘着面を介してフィルム貼付面３９に貼付されるものとなっている。また、このフィルム体２０は、その長手寸法が、フィルム貼付面３９の長手寸法と略等しく、幅寸法が、ローラ溝１９の幅寸法にフィルム貼付面３９の幅寸法を加えたものより若干大きくなるよう形成されている。従って、フィルム体２０の幅方向一端部２０ａをフィルム貼付面３９に貼付したとき、幅方向他端部２０ｃが、ローラ溝１９を挟んでフィルム貼付面３９の対向側に設けられた搬送補助リブ４２上にまで延ばすことができ、ローラ溝１９の下流側縁部１９ａがフィルム体２０によって覆われ、搬送路９を搬送される原稿Ｐの先端部がローラ溝１９の下流側縁部１９ａに引っ掛かって紙詰まりが発生するのを防止している。尚、搬送補助リブ４２は、図に示すように、原稿Ｐの先端部が引っ掛からないよう、その両端部４２ａが面取りされている。また、フィルム体２０には、図２に示すように、前記リードセンサ２４との干渉を回避するための切欠部４３が形成されている。
【００３５】
また、フィルム体２０としては、原稿Ｐとの接触時に生じる摩擦が小さくなるよう、滑りの良い素材を用い、その表面は平滑とするのが好適である。更に、フィルム体２０は、自重によって撓まない程度の強度が必要である。これは、フィルム体２０が自重により撓んでその幅方向他端部２０ｃがローラ溝１９内に垂れ下がると、ローラ溝１９の下流側縁部１９ａが露呈され、この下流側縁部１９ａに原稿Ｐの先端部が引っ掛かるからである。尚、本実施例では、蓋部材としてフィルム体２０を用いているが、蓋部材の材質・形状はこれに限られず、例えば、樹脂等からなる板状のものとすることも可能である。
【００３６】
排出ローラ２１は、搬送路９を搬送される原稿Ｐを排紙トレイ１０へと排出するためのものである。図２及び図３に示すように、排出ローラ２１は、図示しないモータによって回転駆動されるローラ軸２１ａと、このローラ軸２１ａの軸方向に所定間隔で設けられた複数のローラ本体２１ｂを備えるなるものであり、ローラ軸２１ｂが下フレーム２８によって回転自在に軸支され、下フレーム２８に形成された凹欠部４４にローラ本体２１ｂが収装されている。本実施例では、ローラ軸２１ａに５個のローラ本体２１ｂを取り付けるものとしているが、ローラ本体２１ｂを取り付ける間隔及び個数は、原稿サイズ等に応じて適宜設計変更が可能である。
【００３７】
落下補助リブ２３は、図２及び図３に示すように、前記凹欠部４４のローラ軸２１ａ方向片側に、下フレーム２８の下端壁２８ｂから排紙トレイ１０側へ突出するようにして設けられたものであり、排出口から排出された原稿Ｐの後端部が、前記各凹欠部４４間の下端壁２８ｂの上隅部２８ｃに引っ掛かることを回避するためのものである。すなわち、図に示すように、落下補助リブ２３には案内部２３ａが形成されており、排出された原稿Ｐの後端部は、排出ローラ２１の周面を滑り落ちたあと、落下補助リブ２３の案内部２３ａを滑り落ち、前記下端壁２８ｂの上隅部２８ｃには接触しにくくなっている。この時、原稿Ｐの後端部と案内部２３ａとの接触面積は、原稿Ｐの後端部が下端壁２８ｂの上隅部２８ｃに接触する場合と比較して小さくなり、生じる摩擦力も低減するので、原稿Ｐの後端部は、よりスムーズに排紙トレイ１０へと落下するものとなっている。本実施例では、図に示すように、原稿Ｐの後端部が案内部２３ａをよりスムーズに滑り落ちることができるよう、案内部２３ａを急傾斜として形成している。また、落下補助リブ２３は、図３に示すように、排出ローラ２１の周面よりローラ軸２１ａ側の位置を頂部２３ｂとすることにより、排出された原稿Ｐの後端部が、落下補助リブ２３の頂部２３ｂに引っ掛かることを防止している。尚、落下補助リブ２３をローラ本体２１ｂのローラ軸２１ａ方向両側に設けることも可能である。
【００３８】
リードセンサ２４は、図２に示すように、ローラ溝１９の上流側に配置され、原稿Ｐの排出完了を検出するものである。すなわち、リードセンサは２４、原稿Ｐの先端及び後端の通過を検知して、図示しない制御部に対して検知信号を発する。この検知信号を受け取った制御部は、リードセンサ２４から排出口までの距離を考慮して、排出ローラ２１の回転を制御し、また、原稿Ｐの排出完了のタイミングを予測するものとなっている。
【００３９】
以上のように構成される片面読取機である画像読取装置１は、ＣＩＳとプラテンローラを設置することで、両面読取機とすることが可能である。図４は、画像読取装置１にＣＩＳとプラテンローラを設置して両面読取機とした画像読取装置５０を示す概略縦断面図である。尚、図において、画像読取装置１と同じ構成については図１と同じ符号を付し、ここでは詳細な説明は省略する。図に示すように、画像読取装置５０は、画像読取装置１の中間第２フレーム２７にＣＩＳ５１が取り付けられると共に、下フレーム２８のローラ溝１９を覆うフィルム体２０が取り外されて、ローラ溝１９にプラテンローラ５２が配置されたものである。また、ローラ溝１９の上流側には、片面読取機の場合と同様にリードセンサ２４が配置されているが、このリードセンサ２４は、前述のように原稿Ｐの排出完了を検出する役割に加えて、ＣＩＳによる原稿の読取開始のタイミングを制御する役割も果たしている。
【００４０】
図５乃至図８は、上ガイド部材３１の構成を示す図であり、図５は概略斜視図、図６は概略底面図、図７は図５におけるＡ−Ａ断面を示す図、図８はＣＩＳ５１の上ガイド部材３１への取り付け構造を示す分解斜視図である。上ガイド部材３１は、図５に示すように、上部が開口された略箱型の形状を有する樹脂等からなる部材である。この上ガイド部材３１は、図５乃至図８に示すように、その底部を貫通して形成された開口部５３と、この開口部５３の原稿幅方向両側に突設された読取手段支持部５４と、この読取手段支持部５４の若干内側に形成された挿通穴５５と、原稿搬送方向両端部に設けられた係合爪３２とを具備してなるものである。この上ガイド部材３１に、水平部５６、垂直部５７、及び取付部５８を具備してなる位置決め部材５９が両端部に取り付けられたＣＩＳ５１と、このＣＩＳ５１の位置を原稿搬送方向と直交する方向に調整する高さ調整ねじ６０と、前記排出ローラ２１に圧接される押圧ローラ２２とがそれぞれ取り付けられている。
【００４１】
読取手段支持部５４は、図７及び図８に示すように、ＣＩＳ５１の両端部を下方から支持するためのものであり、前記開口部５３の原稿幅方向両側に、底部から上方へ突出してそれぞれ設けられている。この読取手段支持部５４は円筒形状を有し、その上面は、ＣＩＳ５１の両端部を安定して載置できるよう、平坦な面として形成されている。また、読取手段支持部５４には、その上面から上ガイド部材３１の底面３１ａまで達するねじ孔６１が形成されている。尚、読取手段支持部５４の形状は、円筒形状に限られず、例えば、角柱形状であってもよく、ＣＩＳ５１の両端部を下方から支持できるよう所定の高さ寸法を有し、ねじ孔６１が形成されていれば、適宜設計変更が可能である。
【００４２】
挿通穴５５は、ＣＩＳ５１の両端部に取り付けられた位置決め部材５９の垂直部５７が挿通されるものであり、図７及び図８に示すように、読取手段支持部５４の原稿幅方向内側に、底部を貫通するように形成されている。この挿通穴５５は、横断面が略矩形であり、その原稿搬送方向寸法は、位置決め部材５９の垂直部５７の原稿搬送方向寸法より大きく、また、原稿幅方向寸法は、垂直部５７の原稿幅方向寸法と略等しいか若干大き目に形成されている。従って、位置決め部材５９の垂直部５７を挿通穴５５に挿通させた時に、図に詳細は示さないが、垂直部５７と挿通穴５５との間には原稿搬送方向に若干の隙間が生じるので、この隙間分だけ、位置決め部材５９は原稿搬送方向に所定範囲内で移動可能となっている。尚、所定範囲とは、前記隙間の大きさを意味しており、上ガイド部材３１を構成する各部材の製造誤差の累積、及び組み立て誤差等が最大でどの程度の大きさとなるかを予測して、その最大値より若干大きめとしておくのが好適である。このように、ＣＩＳ５１を、上ガイド部材３１に対してねじ等で固定せず、原稿搬送方向に移動可能に取り付けたことにより、ＣＩＳ５１をプラテンローラ５２に対して直接位置決めして、プラテンローラ５２の直上位置へと移動させることが可能となっている。これにより、ＣＩＳ５１とプラテンローラ５２の相対的な位置関係が、上ガイド部材３１を構成する各部材の製造誤差の累積、及び組み立て誤差等の影響を受けることを防止している。
【００４３】
図９は、ＣＩＳ５１の構成を示す分解斜視図である。図に示すように、ＣＩＳ５１は、ＣＩＳ本体６２と、このＣＩＳ本体６２の長手方向両端部に取り付けられた左右一対の位置決め部材５９とを具備してなるものである。ＣＩＳ本体６２は、図に詳細は示さないが、原稿Ｐに対して光源から光を照射し、その反射光を収束性ファイバで光導電素子上に収束して読み取る固定式の読取手段である。このＣＩＳ５１が精度良く画像読み取りを行うためには、ＣＩＳ５１から原稿Ｐまでの距離が、そのＣＩＳ本体６２の焦点距離と一致している必要がある。従って、本発明では、ＣＩＳ５１の直下に、このＣＩＳ５１に回転自在に圧接され、原稿ＰをＣＩＳ５１に密着させるプラテンローラ５２を配置することにより、ＣＩＳ５１から原稿Ｐまでの距離をＣＩＳ本体６２の焦点距離と一致させるものである。ここで、プラテンローラ５２がＣＩＳ５１に圧接されているとは、ＣＩＳ５１から原稿Ｐまでの距離がＣＩＳ本体６２の焦点距離に一致した状態を広く指し示し、その実施態様は、ＣＩＳ本体６２の種類等により異なるものである。例えば、本実施例では、Ａ３サイズの原稿Ｐに対応可能なＣＩＳ本体６２を使用しており、このＣＩＳ本体６２は焦点距離が比較的深いものである。従って、ＣＩＳ５１の直下に読取ガラス６３を配置して、この読取ガラス６３に圧接するようプラテンローラ５２を配置することで、原稿Ｐを読取ガラス６３に密着させている。これにより、ＣＩＳ５１から原稿Ｐまでの距離を、読取ガラス６３の厚み分だけ確保して、ＣＩＳ本体６２の焦点距離に一致させている。しかし、焦点距離の浅いＣＩＳ本体６２を用いる場合には、読取ガラス６３を設置せずに、プラテンローラ５２を、開口部５３を通してＣＩＳ本体６２の図示しない読取領域に直接圧接することも可能である。また、ＣＩＳ本体６２の両端部には、位置決め部材５９を取り付けるための貫通孔６４が形成されている。尚、本実施例では、ＣＩＳ本体６２と位置決め部材５９を別部材として構成したが、もちろん両者を一体化して形成することも可能である。
【００４４】
位置決め部材５９は、搬送路９を搬送される原稿Ｐに対して、ＣＩＳ５１の原稿搬送方向の位置、及び原稿搬送方向と直交する方向の位置、本実施例では原稿Ｐからの高さ位置を位置決めするものである。図１０は、位置決め部材５９の構成を示す概略斜視図である。図に示すように、位置決め部材５９は、ＣＩＳ５１の原稿Ｐからの高さ位置の位置決めを行う水平部５６と、原稿搬送方向の位置決めを行う垂直部５７と、ＣＩＳ本体６２に取り付けるための取付部５８とを備えてなるものである。
【００４５】
水平部５６は、図１０に示すように、平板状の部材であり、その裏面が、前記読取手段支持部５４を受ける面である受け面５６ａとなっている。本実施例では、受け面５６ａを平坦な面として形成し、また、読取手段支持部５４の上面を平坦な面として形成したことにより、ＣＩＳ５１の両端部を読取手段支持部５４上に安定して載置することが可能となっている。
【００４６】
垂直部５７は、図１０に示すように、水平部５６の一端部から該水平部５６と略直交して下方へ延び、その下端部に、下方に向って開口したＵ字形状の溝であるＵ字溝５７ａが形成されている。このＵ字溝５７ａの形状は、図７に示すように、プラテンローラ５２のローラ軸５２ａと嵌合する形状であれば、Ｕ字形状に限定されず、例えば凹型の溝とすることも可能である。但し、Ｕ字溝５７ａの原稿搬送方向幅は、ローラ軸５２ａと嵌合した状態で垂直部５７が原稿搬送方向に位置ずれしないよう、ローラ軸５２ａの外径と略等しくするのが好適である。これにより、ＣＩＳ５１は、原稿Ｐに対する原稿搬送方向の位置が確実に位置決めされ、良好な画像読み取りを行うことができる。
【００４７】
取付部５８は、図１０に示すように、水平部５６の上部に突設された略円筒形状を有するものであり、その上端部は小径に形成されている。また、取付部５８には、その上端部側からねじ孔６５が形成されている。この取付部５８の上端部を、図９に示すように、ＣＩＳ本体６２の貫通孔６４に嵌合させ、ねじ６６をねじ孔６５に螺合させることにより、位置決め部材５９をＣＩＳ本体６２の両端部にそれぞれ固定している。
【００４８】
以上のように構成されたＣＩＳ５１は、図７（ａ）に示すように、上ガイド部材３１によって担持されている。本発明において担持とは、ＣＩＳが上ガイド部材によって下方から支持され、且つ、原稿搬送方向にも、原稿Ｐからの高さ方向にも移動可能な状態であることをいう。本実施例では、図８に示すように、位置決め部材５９の垂直部５７が挿通穴５５に挿通され、水平部５６の受け面５６ａが読取手段支持部５４上に接離可能に載置されることにより、ＣＩＳ５１が上ガイド部材３１によって担持されている。尚、接離可能とは、受け面５６ａと読取手段支持部５４とが接合された状態にあり、受け面５６ａに力を加えることで両者を離間させることが可能な構成をいう。このように、読取手段支持部５４を設けて、この上にＣＩＳ５１を載置したのは、図８に示すように、読取手段支持部５４に形成されたねじ孔６１に高さ調整ねじ６０を螺合して、この高さ調整ねじ６０によってＣＩＳ５１の高さ位置を調整可能とするためである。しかし、ＣＩＳ５１の高さ方向への位置調整が不要な場合には、読取手段支持部５４設けず、ＣＩＳ本体６２を上ガイド部材３１の底部の上に直接載置することにより、ＣＩＳ５１を上ガイド部材３１で担持することも可能である。
【００４９】
また、図４に示すように、ＣＩＳ５１の上面には付勢バネ６７の一端部が固定され、この付勢バネ６７の他端部が上蓋部材３０に固定されており、上蓋部材３０は、上フレーム２５の内側面に下方に向って突設された図示しない突片が当接することで上方向への移動が規制されているので、ＣＩＳ５１が付勢バネ６７によって下方に付勢され、受け面５６ａが読取手段支持部５４に圧接されている。従って、搬送路９の最下流部を上方に傾斜して形成した場合でも、ＣＩＳ５１が、その自重によって原稿搬送方向に位置ずれすることがなく、良好な画像読み取りが可能となっている。しかし、本実施例では、搬送路９の最下流部が水平に形成されており、読取手段支持部５４上に載置されたＣＩＳ５１はその自重によって位置ずれしないので、付勢バネ６７を省略することも可能である。
【００５０】
図７（ａ）は、ＣＩＳ５１が上ガイド部材３１に担持された状態における図５のＡ−Ａ断面図であるが、図に示すように、上ガイド部材３１は、前記付勢バネ６７の付勢力により、また、上ガイド部材３１自身の自重により、その底部に取り付けられた読取ガラス６３がプラテンローラ５２に対して圧接されている。これにより、搬送路９を搬送される原稿Ｐは、プラテンローラ５２によって読取ガラス６３に密着されるものとなっている。一方、ＣＩＳ５１は、その両端部が読取手段支持部５４上に載置され、その自重により、また、付勢バネ６７から受ける付勢力により読取手段支持部５４に対して押圧されている。この時、ＣＩＳ本体６２から、読取ガラス６３に密着された原稿Ｐまでの距離Ｄ１が、ＣＩＳ本体６２の焦点距離と等しくなっており、ＣＩＳ本体６２による良好な画像読み取りが可能となっている。
【００５１】
このように、ＣＩＳ５１は、上ガイド部材３１に対してねじ等により固定されず、上下方向にも原稿搬送方向にも移動自在に設けられている。これにより、ＣＩＳ５１を上ガイド部材３１に容易に着脱することが可能となっている。更に、原稿Ｐが前記分離パッド１３とセパレートローラ１２の間を通過する時に生じる振動がＣＩＳ５１による原稿Ｐの読取画質に影響を及ぼすことを防止している。すなわち、前述のように、中間第２フレーム２７を構成する上蓋部材３０と上ガイド部材３１を互いに上下動自在に係合することにより、前記振動が上蓋部材３０から上ガイド部材３１に伝達するのを低減しているが、これに加えて、ＣＩＳ５１を上ガイド部材３１にねじ等で固定せずに取り付けることにより、前記振動が上ガイド部材３１からＣＩＳ５１に伝達するのを低減している。これにより、前記振動がＣＩＳ５１の読取画質に影響を及ぼすことを相乗的に防止している。一方、プラテンローラ５２についても、ローラ溝１９に容易に着脱することが可能となっている。すなわち、前述のように、中間第２フレーム２７が上下方向に回動自在に設けられているので、上フレーム２５を開いて中間第２フレーム２７を上方向に回動させることにより、ローラ溝１９に容易にアクセスすることができ、且つ、ローラ溝１９の開口の原稿搬送方向幅がプラテンローラ５２の外径より大きくなっているので、ローラ溝１９の上方からプラテンローラ５２を取り付けることが可能となっている。以上より、片面読取機である画像読取装置１を製造販売した後に、ユーザから両面読取機に変更したいとの要望があった場合に、ＡＤＦ６ごと取り外して工場へ持ち帰らなくても、サービスマンがユーザのオフィス等へ行き、その場で中間第２フレーム２７にＣＩＳ５１を取り付け、下フレーム２８にプラテンローラ５２を取り付けることで容易に両面読取機に変更することが可能となっている。
【００５２】
高さ調整ねじ６０は、ＣＩＳ５１の原稿Ｐからの高さ位置を調整して、ＣＩＳ本体６２の焦点距離に一致させるためのものであり、読取手段支持部５４の上面から出没可能となるようにねじ孔６１に螺合されている。本実施例では、図７及び図８に示すように、ねじ孔６１が、読取手段支持部５４の上面から上ガイド部材３１の底面３１ａまで達するように形成され、このねじ孔６１より長尺のねじ部６０ａを有する高さ調整ねじ６０が、上ガイド部材３１の底面３１ａ側からねじ孔６１に螺合されている。この高さ調整ねじ６０の先端は、図７（ａ）に示すように、読取手段支持部５４の上面と略面一となっており、ＣＩＳ５１を読取手段支持部５４上に載置した時に、高さ調整ねじ６０の先端が受け面５６ａに当接するものとなっている。これにより、高さ調整ねじ６０を進める方向に回し、図７（ｂ）に示すように、その先端を読取手段支持部５４の上面から突出させて受け面５６ａを持ち上げることで、ＣＩＳ５１を原稿Ｐから遠ざけることができ、ＣＩＳ５１を原稿Ｐから遠ざけ過ぎた場合には、高さ調整ねじ６０を後退させる方向に回して、ＣＩＳ５１を原稿Ｐに近づけることが可能となっている。従って、上ガイド部材３１を構成する各部材の製造誤差の累積、及び組み立て誤差等により、また、ＣＩＳ５１の各個体間における焦点距離のばらつきにより、ＣＩＳ５１から原稿Ｐまでの距離が、そのＣＩＳ本体６２が有する焦点距離に一致せず画像不具合が発生する場合に、ＣＩＳ５１の両端部について、原稿Ｐからの高さ位置を高さ調整ねじ６０でそれぞれ調整し、ＣＩＳ５１から原稿Ｐまでの距離Ｄ２をＣＩＳ本体６２の焦点距離と合わせることにより、ＣＩＳ５１による良好な画像読み取りを行なうことが可能となっている。尚、高さ調整ねじ６０は、ねじ孔６１より長尺のねじ部６０ａを有するものに限られず、例えば、図に詳細は示さないが、所謂止めねじのように、頭部がなく全長に渡ってねじ部を有するものをねじ孔６１に埋没させるように螺合させることも可能である。
【００５３】
また、本実施例では、高さ調整ねじ６０を上ガイド部材３１の底面３１ａ側からねじ孔６１に螺合させたので、ＣＩＳ５１の原稿Ｐからの高さ位置を調整したい場合には、図１１に示すように、上フレーム２５を開いて、中間第２フレーム２７を上方へ回動させることで、上ガイド部材３１の底面３１ａ側から図示しないドライバ等を用いて前記高さ調整ねじ６０を回すことが可能となっている。従って、中間第２フレーム２７を画像読取装置５０から取り外して分解することなく、ＣＩＳ５１の位置を容易に調整することができるので、調整作業に要する手間と時間を削減することができる、という利点がある。
【００５４】
押圧ローラ２２は、図５及び図６に示すように、両端部が上ガイド部材３１に回転自在に支持されたローラ軸２２ａと、このローラ軸２２ａの軸方向に所定の間隔で設けられ、上ガイド部材３１の底部を貫通して形成された角穴６８から一部を突出させるように設けられたローラ本体２２ｂとを具備してなるものである。この押圧ローラ２２の各ローラ本体２２ｂ間には、図４に示すように、ローラ軸２２ａを下方に付勢するようにしてコイルスプリング６９が配設されており、このコイルスプリング６９の他端は上蓋部材３０に取り付けられている。従って、押圧ローラ２２は、そのローラ本体２２ｂが排出ローラ２１に圧接され、排出ローラ２１の回転に従動して回転するものとなっている。これにより、搬送路９を搬送される原稿Ｐは、その先端部が排出ローラ２１と押圧ローラ２２によってニップされ、下流側へと搬送されるものとなっている。
【００５５】
以下、画像読取装置５０における、ＣＩＳ５１の原稿搬送方向の位置決め動作について説明する。本画像読取装置５０では、ＣＩＳ５１による良好な画像読み取りを行なうために、原稿Ｐが読取ガラス６３と接触する位置の直上、すなわち、プラテンローラ５２と読取ガラス６３が接触する位置の直上にＣＩＳ本体６２の図示しない読取領域が配置されていることが必要である。従って、本画像読取装置５０では、図８に示すように、ＣＩＳ本体６２の両端部に、Ｕ字溝５７ａが形成された垂直部５７を有する位置決め部材５９を取り付け、この垂直部５７を挿通穴５５に挿通させることで、ＣＩＳ５１を上ガイド部材３１に対して原稿搬送方向に所定範囲内で移動可能としている。これにより、図１１に示すように、上方へ回動させて開いた中間第２フレーム２７を下方へ回動させて閉じる時に、位置決め部材５９が、そのＵ字溝５７ａをプラテンローラ５２のローラ軸５２ａに嵌合させるように原稿搬送方向へ若干移動することで、ＣＩＳ５１がプラテンローラ５２の直上に配置される。このように、ＣＩＳ５１をプラテンローラ５２に対して直接位置決めすることにより、上ガイド部材３１を構成する各部材の製造誤差の累積や組み立て誤差等により、ＣＩＳ５１がプラテンローラ５２の直上位置から原稿搬送方向に位置ずれして、画像不具合が発生するのを防止することができる。
【産業上の利用可能性】
【００５６】
本発明は、原稿の第１面の読み取りを行う第１読取手段を備えた画像読取装置に、第２面の読み取りを行う第２読取手段をオプションとして追加することのできる画像読取装置に関するものである。
【図面の簡単な説明】
【００５７】
【図１】本発明の実施例に係る画像読取装置１を示す概略縦断面図。
【図２】下フレーム２８の構成を示す概略平面図。
【図３】図２におけるローラ溝１９近傍を拡大した概略縦断面図。
【図４】両面読取機である画像読取装置５０を示す概略縦断面図。
【図５】上ガイド部材３１の構成を示す概略斜視図。
【図６】上ガイド部材３１の構成を示す概略底面図。
【図７】図５におけるＡ−Ａ断面を示す図。
【図８】ＣＩＳ５１の取り付け構造を示す分解斜視図。
【図９】ＣＩＳ５１の構成を示す分解斜視図。
【図１０】位置決め部材５９の構成を示す概略斜視図。
【図１１】画像読取装置５０の上フレーム２５、及び中間第２フレーム２７を開けた状態を示す概略縦断面図。
【図１２】従来例に係る画像読取装置８０を示す概略縦断面図。
【図１３】従来例に係る画像読取装置１００を示す概略縦断面図。
【符号の説明】
【００５８】
１，５０    画像読取装置
２    第１読取手段
９    搬送路
１９    ローラ溝
２０    フィルム体（蓋部材）
２０ａ    幅方向一端部（蓋部材）
２７    中間フレーム（中間第２フレーム）
２８    下フレーム
２８ａ    ガイド面（下フレーム）
３９    蓋部材取付部（フィルム貼付面）
５１    第２読取手段（ＣＩＳ）
５２    プラテンローラ
Ｐ    原稿
【図１】
2005167477.tif 000003
【図２】
2005167477.tif 000004
【図３】
2005167477.tif 000005
【図４】
2005167477.tif 000006
【図５】
2005167477.tif 000007
【図６】
2005167477.tif 000008
【図７】
2005167477.tif 000009
【図８】
2005167477.tif 000010
【図９】
2005167477.tif 000011
【図１０】
2005167477.tif 000012
【図１１】
2005167477.tif 000013
【図１２】
2005167477.tif 000014
【図１３】
2005167477.tif 000015